(57)【要約】【課題】  従来の傘では、傘を閉じて傘布８を巻き取るには、親骨２を閉じる動作と、親骨２を中棒６の周りに束ねる動作と、傘布８を巻き取ってバンドで固定する動作が必要であった。また傘を開くには、バンドを外して傘布８をばらす動作と、親骨２を開く動作が必要であった。このように傘の開閉から傘布８の巻き取りまでを行うには、手で持つ位置を移動させる必要があったため、時間と手間がかかり、また傘布８で手を濡らす煩わしさがあった。【解決手段】  従来の傘の上ロクロ１に対して回転できるようにした中棒６に、外ロクロ１１と外骨１２を取り付けて、外骨１２の先端を傘布８の外周縁部に固定する。そして傘の開閉動作中に、ハンドル７に取り付けた取手１５で中棒６を回転させることで、外ロクロ１１と外骨１２を回転させて、傘布８を巻き取ることができるようにする。この構造により、手で持つ位置を移動させる事なく傘の開閉と傘布８の巻き取りを同時に行うことができるようにした。【選択図】図２
2011019889.tif 000002
【特許請求の範囲】
【請求項１】
下ロクロを中棒軸方向に移動させて開閉動作を行う傘において、中棒が上ロクロに対して回転できる構造を有して、上ロクロと親骨からなる構造体と同様の構造をした外ロクロと外骨からなる構造体を前記中棒に固定して、外骨先端を各々傘布外周縁部に固定した構造からなる、傘の傘布巻き取り構造。
【請求項２】
傘を閉じて親骨を中棒周りに束ねた状態で、下ロクロのハンドル側端面が親骨先端よりハンドル側に位置するような下ロクロの形状を特徴とする、請求項１記載の傘の傘布巻き取り構造。
【請求項３】
下ロクロが中棒軸方向に移動する時に、中棒に軸周りの回転を与えるような、螺旋状のガイド溝を形成した下ロクロと、前記ガイド溝に沿って移動する突起体を取り付けた中棒と、を特徴とした、請求項１記載の傘の傘布巻き取り構造。
【請求項４】
ハンドルの一部が、固定端を石突側に向けて自由端をハンドル側に向けた、取手となり得ることを特徴とする、請求項１記載の傘の傘布巻き取り構造。
【発明の詳細な説明】
【技術分野】
【０００１】  本件は、傘の開閉から傘布の巻き取りまでを、手で持つ位置を移動させる事なく連続して行うことができる、簡単巻き取り傘に関するものである。
【背景技術】
【０００２】  図１に示す従来の傘では、傘を開いた状態から閉じて傘布８の巻き取りまでを行うには、一方の手で持った下ロクロ４を他方の手で持ったハンドル７の方向に移動させて開いた親骨２を閉じる動作と、下ロクロ４を持っていた手で全ての親骨２を中棒６の周りに集めて束ねる動作と、ハンドル７を持っていた手で束ねた親骨２の周りに傘布８を巻き付けてバンド９で固定する動作が必要であった。
また傘を開くには、一方の手でハンドル７を持ち、他方の手でバンド９を外して中棒６に巻き付けられた傘布８と中棒６の周りに集められた親骨２をばらす動作と、バンド９を外した手で下ロクロ４を石突３の方向に移動させて親骨２を開く動作が必要であった。【０００３】  また、従来の傘に傘布を巻き取る機構を取り付けた傘が考案されているが、構造が複雑なため実用化までには至っていない。
【先行技術文献】
【特許文献】
【０００４】
【特許文献１】  特開２００２−１９１４２２号公報
【発明の概要】
【発明が解決しようとする課題】
【０００５】  前記のように、傘の開閉から傘布８の巻き取りまでの各動作では手で持つ位置を移動させる必要があるため、動作に時間と手間が掛かっていた。
また傘布８を巻き取るには、親骨２を閉じた事で弛みができて形状が定まらない傘布８を、巻き取る方向に弛みを伸ばしながら、傘を回転させる必要があったため、動作に時間と手間が掛かり、傘布８やバンド９で手を濡らす煩わしさがあった。
【課題を解決するための手段】
【０００６】  図１に示す従来の傘の、下ロクロ４とハンドル７を持って下ロクロ４を中棒６の軸方向に移動させる傘の開閉動作中に、ハンドル７で中棒６を軸周りに回転させて、弛んだ傘布８を親骨２と共に中棒６の周りに巻き付ける機構を取り付けて、従来の傘と同様の形状に傘布８を巻き取ることができるようにした、簡単巻き取り傘の構造について説明する。
簡単巻き取り傘の開いた状態を図２に、閉じた状態を図３に、傘布を巻き取った状態を図４に示す。【０００７】  図２に示すように、従来の傘の上ロクロ１に対して回転できるようにした中棒６に、上ロクロ１と親骨２からなる構造体と同様の構造をした外ロクロ１１と外骨１２からなる構造体を固定して、外骨１２の先端部分を各々傘布８の外周縁部の隣接する親骨間中央に固定する。
この構造により、傘を閉じた状態で下ロクロ４を保持して中棒６を軸周りに回転させると、親骨２は受骨５を介して下ロクロ４に連結され回転できないが、中棒６に固定した外ロクロ１１と外骨１２が回転して、親骨２に固定された傘布８の一部が外骨１２の先端で中棒６を中心とする円周接線方向に引っ張られるため、傘布８の弛みを取り除く事ができるようになる。【０００８】  さらに中棒６に回転を加えると、傘布８で親骨２を包み込みながら傘布８を中棒６の周りに巻き付けようとするが、親骨２は下ロクロ４を持った手が邪魔になり中棒６に近付けないため、下ロクロ４を手で持った状態で傘布８を完全に巻き取ることはできない。
この問題を解決するために図４に示すように、下ロクロ４は従来の傘よりもハンドル７の方向に長い形状として、傘を閉じて親骨２を中棒６の周りに束ねた状態でその一部を手で握ることができるようにする。
この構造により、傘を閉じた状態で下ロクロ４を保持して中棒６を軸周りに回転させることで、傘布８を親骨２と共に中棒６の周りに完全に巻き取ることができるようになる。【０００９】  この傘布８の巻き取りに必要な中棒６の回転を、傘を閉じる動作途中の傘布８に弛みが発生した所から下ロクロ４の位置に応じて適切に与えるために、下ロクロ４の内周面に図５の展開図に示す螺旋状のガイド溝１６を形成して、中棒６の外周面には図２に示す突起体１４を取り付ける。
この構造により、下ロクロ４が中棒６の軸方向に移動する時に、前記突起体１４が前記ガイド溝１６に沿って移動することで、下ロクロ４の位置に応じた回転量を中棒６に与える事ができるようになる。【００１０】  ハンドル７には中棒６を回転させるための取手１５を取り付ける。【００１１】  簡単巻き取り傘を閉じる動作は、図２において下ロクロ４と、ハンドル７に取り付けた取手１５を持ち、まず下ロクロ４をハンドル７の方向に移動させて親骨２を閉じ始める。傘布８に弛みが発生する所まで下ロクロ４を移動させると、下ロクロ４のガイド溝１６に、中棒６に取り付けた突起体１４が入る。ここから、突起体１４がガイド溝１６に沿って移動するように、取手１５でハンドル７を回転させて中棒６に回転を加えながら、下ロクロ４を軸方向に移動させる。
この動作により、親骨２を閉じるに従い増加する傘布８の弛みを取り除きながら、傘を閉じることができるようになる。【００１２】  引き続き下ロクロ４をハンドル７付近まで移動させて、図３に示す傘を閉じた状態として、ここからさらに中棒６に回転を加えて、傘布８で親骨２を包み込みながら傘布８を中棒６の周りに完全に巻き取り、図４に示す状態にすることができる。
傘布８を完全に巻き取った状態では、傘布８は外ロクロ１１と外骨１２の巻き取り方向に引っ張る力による摩擦力でその位置を保持することができるため、下ロクロ４から手を放しても傘布８が弛むことはない。【００１３】  反対に傘を開く動作は、図４において傘を閉じる動作と同じ部分を持って、傘を閉じる時と逆の動作を行う。つまり取手１５で傘を閉じる時と反対方向に中棒６を回転させて、巻き取られている傘布８と親骨２をばらして、図３に示す状態にする。次に取手１５で中棒６を回転させながら、下ロクロ４を石突３の方向に移動させて親骨２を開いて図２に示す状態にして、傘を開く動作を完了する。【００１４】  このように傘を開閉して傘布８を巻き取る一連の動作は、全て下ロクロ４とハンドル７に取り付けた取手１５を持って行うことができるため、手で持つ位置を移動する必要がなくなる。
【発明の効果】
【００１５】  傘の開閉から傘布８の巻き取りまでを手で持つ位置を移動させる事なく行うことができるため、一連の動作を速く行う事ができるようになる。
また、傘の開閉から傘布８の巻き取りまでを連続した動作で行うことができるようになるため、雨が止んだ後は傘布８を完全に巻き取った状態で持ち歩くようになる。このため傘布８を巻き取る前の状態で持ち歩いて、弛んだ傘布８やまとまっていない親骨２が邪魔になることや、周りに迷惑をかける事がなくなる。
また、傘布８や親骨２に触る事なく傘布８の巻き取りができ、バンド９の取付け取外しが不要のため、傘の濡れた部分で手を濡らす煩わしさを解消できる。
また、傘を開いた状態では、隣接する親骨間に外骨１２が構造体として追加されるため、傘の強度が向上される。
また、従来の傘では傘布８をきれいに巻き取るには、傘布８を手で丁寧に伸ばしながら巻き取りを行う必要があったが、簡単巻き取り傘は、子供やお年寄りや手の不自由な方にも、簡単にきれいに巻き取ることができる。【００１６】  製造面では、従来の傘と主要な構成部材を比較すると、追加となる部材は外ロクロ１１と外骨１２のみで、その他の構成部材は形状変更で対応できるため容易に実現できて、また傘を閉じて傘布８を巻き取る前の状態で下ロクロ４の位置を保持するための下ハジキ１０と、バンド９が不要となるため、製造に必要なコストアップも抑えることができる。
【図面の簡単な説明】
【００１７】
【図１】従来の傘の開いた状態を表す外観図である。
【図２】簡単巻き取り傘の開いた状態を表す外観図である。
【図３】簡単巻き取り傘の閉じた状態を表す外観図である。
【図４】簡単巻き取り傘の傘布を巻き取った状態を表す外観図である。
【図５】簡単巻き取り傘の下ロクロ内周面のガイド溝形状を表す展開図である。
【発明を実施するための形態】
【００１８】  傘布８を巻き取るために必要な部材を、従来の傘に追加、変更することで容易に実現できる構造とした。
【実施例】
【００１９】  図２に示すように、従来の傘に対して石突３の位置を上ロクロ１から遠ざける方向に移動させて、上ロクロ１と親骨２からなる構造体と同様の構造をした外ロクロ１１と外骨１２からなる構造体の外ロクロ１１を、石突３と上ロクロ１の間の中棒６に固定して、外骨１２の先端部分は各々傘布８の外周縁部の隣接する親骨間中央に固定する。
また上ロクロ１を中棒６に固定する部材を取り除き、外ロクロ１１と新たに追加する止め具１３とで上ロクロ１を挟むように止め具１３を中棒６に固定して、上ロクロ１を中棒６に対して回転できるようにする。【００２０】  図４に示すように下ロクロ４は、傘を閉じて親骨２を中棒６の周りに束ねた状態で、下ロクロ４の端面が親骨２の先端よりハンドル７側に位置するような、長い形状とする。【００２１】  図２と図５に示すように、下ロクロ４の内周面には螺旋状のガイド溝１６を形成して、中棒６の外周面には、ガイド溝１６に沿って移動可能な突起体１４を取り付ける。
ガイド溝１６の形状は、傘布８に弛みが発生してから親骨２を閉じるまでに対して、親骨２を閉じてから傘布８を巻き取るまでの方が、軸方向の移動量に対して回転量が大きくなる形状とする。【００２２】  ハンドル７には、中棒６の軸心から偏心した位置に、固定端を石突３側に向けて、自由端をハンドル７側に向けて、取手１５を取り付ける。【００２３】  従来の傘に取付けられているバンド９と下ハジキ１０は不要となるため取り外す。
【符号の説明】
【００２４】  １  上ロクロ
２  親骨
３  石突
４  下ロクロ
５  受骨
６  中棒
７  ハンドル
８  傘布
９  バンド
１０  下ハジキ
１１  外ロクロ
１２  外骨
１３  止め具
１４  突起体
１５  取手
１６  ガイド溝
【図１】
2011019889.tif 000003
【図２】
2011019889.tif 000004
【図３】
2011019889.tif 000005
【図４】
2011019889.tif 000006
【図５】
2011019889.tif 000007